(57)【特許請求の範囲】
【請求項１】
吊り下げ状態で使用される浄水器にあって、内部に濾材を収容した容器の外面に横方向に向けて平行に突設された入口プラグ及び出口プラグと接離可能に対応するように、入口側接続部及び出口側接続部とを並設した浄水器用接続具において、
設置壁に取付板を介して装着される支持ブロックの前面には、前記入口側接続部及び出口側接続部を浄水器の入口プラグ及び出口プラグと接離可能に対応するように横方向に向けて平行に並設配置し、同支持ブロックの上面には、入口側接続部と連通するように導入パイプが連結される連結パイプと出口側接続部と連通するように導出パイプが連結される連結パイプとを突設し、さらに前記支持ブロックには、入口側接続部及び出口側接続部に対する浄水器の入口プラグ及び出口プラグの接続時に、浄水器の重量を支持する支持部としての支持溝を設けた浄水器用接続具。
【請求項２】
前記支持溝を、浄水器の容器に突設された支持突起と係脱可能に対応するように形成した請求項１に記載の浄水器用接続具。
【請求項３】
前記入口側接続部及び出口側接続部に対応して、浄水器の入口プラグ及び出口プラグを接続状態に係止するための係止機構を配設した請求項１または請求項２に記載の浄水器用接続具。
【請求項４】
請求項１〜請求項３のうちいずれか一項に記載の浄水器用接続具と、容器の内部に濾材を収容し、その容器の外面には入口プラグ及び出口プラグを、浄水器用接続具の入口側接続部及び出口側接続部と接離可能に対応するように横方向に向けて平行に突設した吊り下げ状態で使用される浄水器と、を備えた浄水ユニット。
【発明の詳細な説明】
【０００１】
【発明の属する技術分野】
この発明は、浄水器用接続具及び浄水ユニットに関するものである。
【０００２】
【従来の技術】
この種の浄水器として、活性炭等の濾材を収容するための容器は、有底筒状に形成された容器本体と、その上端開口部に嵌合固定された蓋体とから構成されている。容器本体は流し台や給水設備の内部等に設けられた設置台上に装着されている。蓋体には入口プラグ及び出口プラグが突設され、これらのプラグには導入パイプ及び導出パイプの一端が着脱可能に接続される。そして、活性炭等の濾材あるいは浄水器そのものの交換時には、導入パイプ及び導出パイプを入口プラグ及び出口プラグから取り外して、設置台から容器本体を取り外すことにより、濾材単体あるいは浄水器そのものを容器本体及び蓋体とともに新しいものと脱着交換するようになっている。
【０００３】
【発明が解決しようとする課題】
ところが、この従来においては、導入パイプ及び導出パイプは着脱が可能なように可撓性を有して垂れ下がっているため、導入パイプ及び導出パイプを入口プラグ及び出口プラグに対して着脱する際や、流し台や給水設備の下部や、狭い場所で浄水器を交換する際に、わざわざ浄水器を交換し易い広い場所まで移動させなければならないという弊害があった。
【０００４】
また、濾材あるいは浄水器の交換時に、導入パイプ及び導出パイプを入口プラグ及び出口プラグにそれぞれ別々に着脱する必要があるため、その交換操作が面倒であるという問題があった。
【０００５】
さらに、導入パイプ及び導出パイプを入口プラグ及び出口プラグに対してそれぞれ各別に脱着するようになっているため、それらのパイプとプラグとの接続に間違いが生じやすいという問題もあった。
【０００６】
この発明は、このような従来の技術に存在する問題点に着目してなされたものである。その目的とするところは、容器内に収容された活性炭等の濾材を容器とともに、簡単な操作で容易に脱着交換することができるとともに、容器上の入口及び出口を導入パイプ及び導出パイプに対して間違いなく正確に接続することができる浄水器用接続具及び浄水ユニットを提供することにある。
【０００７】
【課題を解決するための手段】
上記の目的を達成するために、請求項１に記載の浄水器用接続具の発明では、吊り下げ状態で使用される浄水器にあって、内部に濾材を収容した容器の外面に横方向に向けて平行に突設された入口プラグ及び出口プラグと接離可能に対応するように、入口側接続部及び出口側接続部とを並設した浄水器用接続具において、設置壁に取付板を介して装着される支持ブロックの前面には、前記入口側接続部及び出口側接続部を浄水器の入口プラグ及び出口プラグと接離可能に対応するように横方向に向けて平行に並設配置し、同支持ブロックの上面には、入口側接続部と連通するように導入パイプが連結される連結パイプと出口側接続部と連通するように導出パイプが連結される連結パイプとを突設し、さらに前記支持ブロックには、入口側接続部及び出口側接続部に対する浄水器の入口プラグ及び出口プラグの接続時に、浄水器の重量を支持する支持部としての支持溝を設けたものである。
【０００８】
請求項２に記載の発明では、請求項１に記載の浄水器用接続具において、前記支持溝を、浄水器の容器に突設された支持突起と係脱可能に対応するように形成したものである。
【０００９】
請求項３に記載の発明では、請求項１または請求項２に記載の浄水器用接続具において、前記入口側接続部及び出口側接続部に対応して、浄水器の入口プラグ及び出口プラグを接続状態に係止するための係止機構を配設したものである。
請求項４に記載の発明では、請求項１〜請求項３のうちいずれか一項に記載の浄水器用接続具と、容器の内部に濾材を収容し、その容器の外面には入口プラグ及び出口プラグを、浄水器用接続具の入口側接続部及び出口側接続部と接離可能に対応するように横方向に向けて平行に突設した吊り下げ状態で使用される浄水器と、を備えた浄水ユニットである。
【００１５】
【発明の実施の形態】
（第１の実施形態）
以下に、この発明の第１の実施形態を、図１〜図６に基づいて説明する。
【００１６】
図１及び図２に示すように、浄水器用接続具１１の支持ブロック１２は合成樹脂により形成され、その前面には入口側接続部としての円筒状の入口側ソケット１３及び出口側接続部としての円筒状の出口側ソケット１４が、横方向に向かって平行に螺着されている。各ソケット１３，１４と連通するように、支持ブロック１２の上面には連結パイプ１５，１６が突設され、それらの外周にはネジ部１５ａ，１６ａが形成されている。
【００１７】
図１、図２及び図５に示すように、取付板１７は金属板により側面ほぼＬ字状に折り曲げ形成され、その水平板部には一対のパイプ挿通孔１８が形成されるとともに、垂直板部には複数のネジ挿通孔１９が形成されている。そして、この取付板１７のパイプ挿通孔１８に前記両連結パイプ１５，１６を挿通するとともに、ネジ部１５ａ，１６ａにナット２０を螺合することにより、支持ブロック１２が取付板１７の水平板部の下面に取り付けられている。
【００１８】
さらに、取付板１７を流し台や給水設備の内部等の設置箇所に配置して、各ネジ挿通孔１９から設置壁２１にネジ２２を螺合させることにより、支持ブロック１２が取付板１７を介して設置壁２１に装着されるようになっている。この状態で、入口側ソケット１３に連通した一方の連結パイプ１５には導入パイプ２３が連結されるとともに、出口側ソケット１４に連通した他方の連結パイプ１６には導出パイプ２４が連結されるようになっている。
【００１９】
図１、図２及び図６に示すように、浄水器２５の容器２６は、合成樹脂により有底円筒状に形成された容器本体２７と、その容器本体２７の上端開口部に螺着された合成樹脂製の蓋体２８とから構成されている。容器本体２７の外周にはアルミ製の補強外筒２９が嵌着され、その上端縁が蓋体２８の外周面にかしめ付け固定されている。容器本体２７と蓋体２８との接合部における補強外筒２９の外面には合成樹脂製の締付リング３０が被覆嵌着され、締付リング３０の上端縁が補強外筒２９の上端にかしめ付け固定されている。
【００２０】
前記容器２６内の上部には合成樹脂製の内蓋３１及び仕切板３２が配設され、内蓋３１の外周近傍には流入孔３３が形成されるとともに、内蓋３１及び仕切板３２の中央には流出孔３４が形成されている。容器２６の底壁と仕切板３２との間には、活性炭を円筒状に硬化してなる濾材としてのフィルタ３５が収容されている。
【００２１】
前記補強外筒２９の上端縁には複数の切欠部３６が形成され、締付リング３０の下端縁にも複数の切欠部３７が形成されている。そして、浄水器２５の使用後に、フィルタ３５を容器２６とともに廃棄処理する場合には、図示しない工具の爪部を締付けリング３０の切欠部３７に係合させて、締付リング３０を補強外筒２９の外面から取り外す。その後、同工具の爪部を補強外筒２９の切欠部３６に係合させて、補強外筒２９の上端縁のかしめ付けを解放させ、この状態で補強外筒２９を容器本体２７の外周から取り外して、合成樹脂製の容器２６と金属製の補強外筒２９とを分別処理できるようになっている。
【００２２】
図１、図２及び図６に示すように、前記蓋体２８の一側上面には突出部３８が形成され、突出部３８の内部には流入孔３３に連通する流入通路３９、及び流出孔３４に連通する流出通路４０が形成されている。突出部３８の側面には流入通路３９の上端に連通する入口プラグ４１、及び流出通路４０の上端に連通する出口プラグ４２が、水平方向に向かって平行に突出形成され、各プラグ４１，４２の外周面には係止溝４３が形成されている。そして、これらの入口プラグ４１及び出口プラグ４２が、前記浄水器用接続具１１の入口側ソケット１３及び出口側ソケット１４と接離可能に対応するようになっている。
【００２３】
前記両プラグ４１，４２の延長方向と同方向へ延びるように、蓋体２８の他側上面には支持突起４４が突出形成されている。この支持突起４４と係脱可能に対応するように、前記浄水器用接続具１１の支持ブロック１２には支持部としての支持溝４５が形成されている。そして、図３及び図４に示すように、支持突起４４を支持溝４５に係合または離脱させることにより、浄水器２５が浄水器用接続具１１に着脱されて、入口プラグ４１及び出口プラグ４２が入口側ソケット１３及び出口側ソケット１４に接離される。また、浄水器用接続具１１に対する浄水器２５の取付状態では、支持突起４４と支持溝４５との係合を介して、浄水器２５の重量が支持ブロック１２に支持されるようになっている。
【００２４】
図１〜図４に示すように、前記浄水器用接続具１１の入口側ソケット１３及び出口側ソケット１４に対応して係止機構４６が配設され、この係止機構４６によって、浄水器２５の入口プラグ４１及び出口プラグ４２がソケット１３，１４に対する接続状態に係止保持されるようになっている。すなわち、支持ブロック１２の前面には保持部材としてのスリーブ４７が、その後面中央の突起４８を支持ブロック１２の摺動孔４９に嵌挿することにより前後移動可能に配設されている。スリーブ４７の両側部には各ソケット１３，１４を挿通させるための挿通孔５０が形成されている。
【００２５】
前記各スリーブ４７内には係止部材としての各一対の係止ピン５１が配設され、各ソケット１３，１４の両側の傾斜溝５２に移動可能に嵌挿されている。各ソケット１３，１４の中間段差部とスリーブ４７の内面との間にはバネ５３がそれぞれ嵌挿され、図２に示すように、これらのバネ５３によりスリーブ４７が前方に移動付勢されて、係止ピン５１が傾斜溝５２の内端部に移動配置されるようになっている。そして、図４に示すように、浄水器２５の両プラグ４１，４２が浄水器用接続具１１の両ソケット１３，１４に接続されたとき、各係止ピン５１がプラグ４１，４２の外周面の係止溝４３に係合して、両プラグ４１，４２が接続状態に係止保持されるようになっている。
【００２６】
図２及び図４に示すように、前記浄水器用接続具１１における各ソケット１３，１４内には円環状の弁座５４が配設されている。弁座５４と接離可能に対応するように、各ソケット１３，１４内には弁体５５が移動可能に配設され、バネ５６により弁座５４側に向かって移動付勢されている。
【００２７】
そして、図２に示すように、浄水器２５の両プラグ４１，４２が浄水器用接続具１１の両ソケット１３，１４から離脱されたときには、弁体５５が弁座５４と接合する閉鎖位置に移動されて、両ソケット１３，１４内の流路が閉鎖される。また、図４に示すように、両プラグ４１，４２がソケット１３，１４に接続されたときには、弁体５５がプラグ４１，４２との係合により、弁座５４から離間する開放位置に移動されて、両ソケット１３，１４内の流路が開放されるようになっている。
【００２８】
なお、前記弁体５５には、図示しないＯリング等の止水部材が装設されている。そして、浄水器２５が浄水器用接続具１１から離脱されたときに、止水部材がバネ５６の付勢力により弁座５４に圧接されて、両ソケット１３，１４内に残留する水が止水されるようになっている。
【００２９】
次に、前記のように構成された実施形態の浄水器用接続具及び浄水器の作用を説明する。
さて、図３に示す状態では、浄水器用接続具１１が取付板１７により、流し台の内部等の設置壁２１に装着され、支持ブロック１２上の各連結パイプ１５，１６に導入パイプ２３及び導出パイプ２４が連結されている。また、浄水器用接続具１１には浄水器２５が取り付けられ、その浄水器２５の入口プラグ４１及び出口プラグ４２が浄水器用接続具１１の入口側ソケット１３及び出口側ソケット１４に接続されて、係止機構４６により接続状態に係止保持されている。
【００３０】
この状態で、導入パイプ２３、導出ホース２４それぞれに設けられた図示しない蛇口等の開放により、導入パイプ２３から連結パイプ１５を介して入口側ソケット１３内に水が供給されると、その水は入口プラグ４１、流入通路３９及び流入孔３３を介して、浄水器２５の容器２６内に導入される。そして、この水が活性炭よりなるフィルタ３５を通過する際に、水に含まれる不純物がフィルタ３５により濾過されて浄化される。
【００３１】
さらに、浄化後の水は流出孔３４、流出通路４０及び出口プラグ４２を介して、浄水器２５の容器２６内から浄水器用接続具１１の出口側ソケット１４に導出される。そして、この水は連結パイプ１６及び導出パイプ２４を介して蛇口等に導かれ、その蛇口等の放水口から放出される。
【００３２】
このように、浄水動作を繰り返し行って、浄水器２５内のフィルタ３５の濾過効果が低下した場合には、そのフィルタ３５を容器２６とともに脱着交換する必要がある。
【００３３】
よって、この係止解放状態で、浄水器２５を浄水器用接続具１１から離間する横方向に引っ張ると、支持突起４４が支持溝４５に沿って移動されて、浄水器２５が浄水器用接続具１１から取り外される。そして、浄水器２５の入口プラグ４１及び出口プラグ４２が浄水器用接続具１１の入口側ソケット１３及び出口側ソケット１４から離脱される。この場合、各ソケット１３，１４内の弁体５５が閉鎖位置に移動されて、両ソケット１３，１４内の流路が閉鎖される。
【００３４】
その後、新しいフィルタ３５を収容した浄水器２５を浄水器用接続具１１に取り付ける場合には、前記の取り外し時とほぼ逆順に、支持突起４４を支持溝４５に係合させた状態で、浄水器２５を浄水器用接続具１１に向かって横方向へ接近移動させる。すると、浄水器２５の両プラグ４１，４２が浄水器用接続具１１の両ソケット１３，１４に挿入接続されて、係止機構４６により接続状態に係止保持される。
【００３５】
前記の実施形態によって期待できる効果について、以下に記載する。
・  この実施形態の浄水器用接続具においては、浄水器２５の入口プラグ４１及び出口プラグ４２と接離可能に対応するように、入口側接続部としての入口側ソケット１３及び出口側接続部としての出口側ソケット１４が並設されている。そして、入口側ソケット１３に導入パイプ２３が連結されるとともに、出口側ソケット１４に導出パイプ２４が連結されている。
【００３６】
このため、浄水器２５の入口プラグ４１及び出口プラグ４２を、浄水器用接続具１１の入口側ソケット１３及び出口側ソケット１４に接離させることにより、浄水器２５の容器２６内に収容された活性炭等よりなる濾材としてフィルタ３５を容器２６とともに、簡単な操作で容易に脱着交換することができる。また、このフィルタ３５の交換時には、容器２６上の入口プラグ４１及び出口プラグ４２を、浄水器用接続具１１の入口側ソケット１３及び出口側ソケット１４を介して導入パイプ２３及び導出パイプ２４に対し間違いなく正確に接続することができる。
【００３７】
・導入パイプ２３及び導出パイプ２４を可撓性にして垂れ下げなくてもよいため、導入パイプ２３及び導出パイプ２４を入口プラグ４１及び出口プラグ４２に対して着脱する際や、流し台の下部に台所用品を出し入れする際に、導入パイプ２３及び導出パイプ２４が邪魔になることがない。また、導入パイプ及び導出パイプを入口プラグ及び出口プラグに対して着脱する際や、流し台や給水設備の下部や、狭い場所で浄水器を交換する際に、わざわざ浄水器２５を交換し易い広い場所まで移動させなくてもよい。
【００３８】
・  この実施形態の浄水器用接続具においては、入口側ソケット１３及び出口側ソケット１４が支持ブロック１２に並設配置され、取付板１７を介して設置壁２１に装着されるようになっている。このため、入口側ソケット１３及び出口側ソケット１４を定位置に並設した状態で、流し台の内部等の設置壁２１に容易に装着することができる。
【００３９】
・  この実施形態の浄水器用接続具においては、入口側ソケット１３及び出口側ソケット１４に対する浄水器２５の入口プラグ４１及び出口プラグ４２の接続時に、浄水器２５の重量を支持するための支持部としての支持溝４５が、支持ブロック１２に設けられている。このため、浄水器用接続具１１の入口側ソケット１３及び出口側ソケット１４に浄水器２５の入口プラグ４１及び出口プラグ４２を接続した状態で、浄水器２５の重量が入口側ソケット１３及び出口側ソケット１４に加わるおそれを防止することができる。また、浄水器２５の着脱時には、支持突起４４が支持溝４５にガイドされるため、比較的暗い流し台や給水設備の内部等でも、浄水器２５をいっそう容易に装着することができる。さらに、従来技術と異なり、浄水器２５の設置台を必要としないので、浄水器２５よりも下側のスペースを余分に確保する必要がない。
【００４０】
・  この実施形態の浄水器用接続具においては、入口側ソケット１３及び出口側ソケット１４に対応して、浄水器２５の入口プラグ４１及び出口プラグ４２を接続状態に係止するための係止機構４６が配設されている。このため、浄水器用接続具１１の両ソケット１３，１４に浄水器２５の両プラグ４１，４２を接続した状態で、係止機構４６により両プラグ４１，４２を接続状態に確実に係止保持することができる。
【００４１】
・  この実施形態の浄水器用接続具においては、係止機構４６が、入口プラグ４１及び出口プラグ４２に係合可能な係止部材としての係止ピン５１と、その係止ピン５１を係合状態に保持する保持部材としてのスリーブ４７とから構成されている。このため、係止機構４６の構成が簡単であるとともに、浄水器２５の両プラグ４１，４２をソケット１３，１４に対する接続状態に確実に係止保持することができる。
【００４２】
・  この実施形態の浄水器においては、容器２６の内部に活性炭等よりなる濾材としてのフィルタ３５が収容されている。また、容器２６の外面には入口プラグ４１及び出口プラグ４２が、浄水器用接続具１１の入口側ソケット１３及び出口側ソケット１４と接離可能に対応するように、水平方向に向けて平行に突設されている。このため、浄水器２５の入口プラグ４１及び出口プラグ４２を浄水器用接続具１１の入口側ソケット１３及び出口側ソケット１４に接離させることにより、浄水器２５の容器２６内に収容されたフィルタ３５を容器２６とともに、簡単な操作で容易に脱着交換することができる。
【００４３】
また、このフィルタ３５の交換時には、浄水器２５の容器２６を水平方向に移動させることにより、容器２６上の両プラグ４１，４２を浄水器用接続具１１の両ソケット１３，１４に対して離脱または接続させることができる。従って、浄水器用接続具１１が流し台の内部等の設置壁２１において、下方に広い空間を確保することなく装着配置されている場合でも、フィルタ３５を容器２６とともに容易に脱着交換することができる。さらに、このフィルタ３５の交換時には、容器２６上の入口プラグ４１及び出口プラグ４２を、浄水器用接続具１１の入口側ソケット１３及び出口側ソケット１４を介して導入パイプ２３及び導出パイプ２４に対し間違いなく正確に接続することができる。
【００４４】
（第２の実施形態）
次に、この発明の第２の実施形態を、前記第１の実施形態と異なる部分を中心に説明する。
【００４５】
さて、この第２の実施形態においては、図７に示すように、浄水器用接続具１１の取付板１７の水平板部に３個のパイプ挿通孔１８が、前後方向及び左右方向に２個ずつ並べて形成されている。そして、図７に鎖線で示すように、並設された２個のパイプ挿通孔１８を選択的に使用して、取付板１７の水平板部に支持ブロック１２を前後方向または左右方向へ支持するようになっている。
【００４６】
従って、この実施形態においては、浄水器用接続具１１を設置箇所に応じて前向き又は横向きに装設することができて、その浄水器用接続具１１に対して浄水器２５を前方または側方から着脱することができる。
【００４７】
（第３の実施形態）
次に、この発明の第３の実施形態を、前記第１の実施形態と異なる部分を中心に説明する。
【００４８】
さて、この第３の実施形態においては、図８に示すように、浄水器２５の容器２６内に格子状の上仕切板６５及び下仕切板６６が配設され、両仕切板６５，６６間の中央にはパイプ６７が挟持されている。そして、上下仕切板６５，６６間において、容器本体２７の内周面と仕切筒６７との間には粒状活性炭よりなる濾材としてのフィルタ６８が充填されている。
【００４９】
従って、この実施形態においても、前述した第１の実施形態とほぼ同様に、浄水器２５の容器２６内に導入される水が粒状活性炭よりなるフィルタ６８を通過する際に、水に含まれる不純物がフィルタ６８により濾過されて浄化される。
【００５０】
（第４の実施形態）
次に、この発明の第４の実施形態を、前記第１の実施形態と異なる部分を中心に説明する。
【００５１】
さて、この第４の実施形態においては、図９に示すように、浄水器２５の容器２６内に格子状の上仕切板６９及び下仕切板７０が配設されている。そして、これらの仕切板６９，７０間において、容器本体２７内の外周部には粒状活性炭よりなる第１フィルタ７１が収容されるとともに、中心部には中空糸膜よりなる濾材としての第２フィルタ７２が収容されている。
【００５２】
従って、この実施形態においても、前述した第１の実施形態とほぼ同様に、浄水器２５の容器２６内に導入される水が活性炭よりなる第１フィルタ７１及び中空糸膜よりなる第２フィルタ７２を通過する際に、水に含まれる不純物が両フィルタ７１，７２により濾過されて浄水される。
【００５３】
（第５の実施形態）
次に、この発明の第５の実施形態を、前記第１の実施形態と異なる部分を中心に説明する。
【００５４】
さて、この第５の実施形態においては、図１０，図１１に示すように、前記蓋体２８の一側上面には所定の間隔をおいて一対の突出部３８が形成され、各突出部３８の内部には流入通路３９及び流出通路４０が形成されている。両突出部３８間における支持ブロック１２には、支持部８０が水平方向に沿ってスリーブ４７の前端面よりも前方へ突設されている。その支持部８０の先端には操作レバー７３がピン６１により回動可能に支持されている。操作レバー７３の基端部には半円状をなす作用面７３ｂが形成されている。そして、操作レバー７３を図１１の時計方向に回動させたとき、作用面７３ｂがスリーブ４７の前端面に押圧摺動され、スリーブ４７がバネ５３の付勢力に抗して後方に移動される。
【００５５】
前記作用面７３ｂの反対側における操作レバー７３の基端部には円弧状をなす逃げ部７３ｃが形成されている。そして、この逃げ部７３ｃにより、操作レバー７３を図１１の時計方向に回動させたとき、操作レバー７３が水平な状態となるまで操作レバー７３とスリーブ４７とが干渉しないようになっている。これにより、操作レバー７３が水平な状態となるまでスリーブ４７は移動しないようになっている。
【００５６】
この操作レバー７３及びその関連構成により取外し補助手段が構成されている。
フィルタ３５を容器２６とともに脱着交換する場合には、操作レバー７３を図１１の時計方向に回動操作すると、スリーブ４７が後方に移動され、係止機構４６による両プラグ４１，４２の係止が解放される。その後、操作レバー７３を水平な状態となるように回動させ、この状態で浄水器２５を浄水器用接続具１１から離間する方向に引っ張ると、浄水器２５が浄水器用接続具１１から取り外される。このとき、操作レバー７３は水平な状態となっているため、支持突起４４と干渉することがない。
【００５７】
その後、新しいフィルタ３５を収容した浄水器２５を浄水器用接続具１１に取り付ける場合には、前記の取り外し時とほぼ逆順に、操作レバー７３を水平にした状態で、浄水器２５を浄水器用接続具１１に向かって接近移動させる。すると、浄水器２５が浄水器用接続具１１に挿入接続されて、係止機構４６により接続状態に係止保持される。その後、操作レバー７３を水平状態から反時計回りに回動し、図１１に示すように、操作レバー７３を垂立な状態にする。これにより、万が一落下物が操作レバー７３に当たっても、係止機構４６の不用意な解離動作が防止される。
【００５８】
従って、この第５の実施形態においては、操作レバー７３を用いて浄水器２５の取外し補助を行うことができ、その取外しを簡単に行うことができる。
（第６の実施形態）
次に、この発明の第６の実施形態を、前記第１の実施形態と異なる部分を中心に説明する。
【００５９】
この第６の実施形態においては、図１２〜図１４に示すように、支持ブロック１２の両側面に支軸７４を介して側面Ｌ形状をなす操作レバー７５がその両端において回動可能に支持され、その上部側が操作部７６になっている。支軸７４を介した操作部７６の反対側において、操作レバー７５の端部には引寄せレバー７７が軸７８を介して回動可能に支持され、軸７８上の軽いバネ力の巻きバネ７９により上方へ向かって回動付勢されており、外力が作用しない場合は、図１２の位置に保持される。この引寄せレバー７７は、下方へ回動されることにより、中間部において前記浄水器２５の突出部３８に係合可能である。この操作レバー７５，引寄せレバー７７等により、接続補助手段が構成されている。
【００６０】
そして、図１３及び図１４に示すように、浄水器２５の両プラグ４１，４２を支持ブロック１２の両ソケット１３，１４にそれぞれ軽く接続した状態において、引寄せレバー８３を下方へ回動させて、浄水器２５の突出部３８に係合させる。次いで、この状態で操作レバー７５を支軸７４を中心に下方へ回動させる。従って、操作レバー７５の先端の軸７８が後方へ移動することになり、引き寄せレバー７７を介して突出部３８が後方へ移動される。このため、両プラグ４１，４２が最奥の押込み位置まで移動される。
【００６１】
このように、この第６の実施形態においては、両ソケット１３，１４に対する両プラグ４１，４２の接続作業をてこの原理を利用して軽い力で補助することができ、その接続作業を容易に行うことができる。
【００６２】
（第７の実施形態）
次に、この発明の第７の実施形態を図１５に基づいて説明する。
この第７の実施形態は、第５の実施形態の構成において、第６の実施形態の操作レバー７５及び引き寄せレバー７７を設けたものである。従って、この第７実施形態における引き寄せレバー７７は、第５の実施形態における突出部３８の形状に適合させるために、第６の実施形態のものとは形状が若干異なる。
【００６３】
そして、この第７の実施形態においては、前記第５の実施形態及び第６の実施形態の効果を併せ持つことができる。
（別の実施形態）
なお、各実施形態は、次のように変更して具体化することも可能である。
【００６４】
・  前記実施形態と逆に、浄水器用接続具１１の支持ブロック１２に支持部としての支持突起４４を形成し、浄水器２５の容器２６上に支持突起４４と係合可能な支持溝４５を形成すること。
【００６５】
・  浄水器２５における容器本体２７外周の補強外筒２９及び締め付けリング３０を省略すること。
次に、前記実施形態から把握できる請求項以外の技術的思想について、それらの効果とともに記載する。
【００６７】
・  図２に示す係合ピン５１の代わりに、スプリングにより係合溝４３との係合方向に付勢されたボールを使用すること。
・  図１６に示すように、締付けリング３０をネジ３０ａにより補強外筒２９に固定すること。
【００６８】
【発明の効果】
この発明は、以上のように構成されているため、次のような効果を奏する。
請求項１に記載の発明によれば、接続具の入口側及び出口側の接続部が横方向に向けて平行に突設されているため、浄水器の接続及び取外し作業が容易になる。また、入口側接続部及び出口側接続部を定位置に並設した状態で、流し台や給水設備の内部等の狭い設置壁に容易に装着することができる。さらに、浄水器用接続具の入口側接続部及び出口側接続部に浄水器の入口プラグ及び出口プラグを接続した状態で、浄水器の重量が入口側接続部及び出口側接続部に加わるおそれを防止することができる。また、スペースを余分に確保する必要がない。
【００６９】
請求項２に記載の発明によれば、浄水器用接続具に対する浄水器の取付状態では、支持突起と支持溝との係合を介して、浄水器の重量が支持ブロックに支持される。
請求項３に記載の発明によれば、浄水器用接続具の両接続部に浄水器の両プラグを接続した状態で、係止機構により両プラグを接続状態に確実に係止保持することができる。
【００７０】
請求項４に記載の発明によれば、浄水器接続具が広い空間を確保することなく配置されていても、浄水器を容易に着脱することができる。また、容器の入口及び出口を導入パイプ及び導出パイプに対して間違いなく正確に接続することができる。
【図面の簡単な説明】
【図１】  第１の実施形態を示す浄水器用接続具及び浄水器の分解側面図。
【図２】  浄水器用接続具及び浄水器の分解状態を示す要部破断平面図。
【図３】  浄水器用接続具に浄水器を接続した状態を示す側面図。
【図４】  浄水器用接続具に浄水器を接続した状態を示す要部破断平面図。
【図５】  浄水器用接続具の取付板を示す斜視図。
【図６】  図１の６−６線における断面図。
【図７】  第２の実施形態を示す浄水器用接続具の取付板の斜視図。
【図８】  第３の実施形態を示す浄水器の断面図。
【図９】  第４の実施形態を示す浄水器の断面図。
【図１０】  第５の実施形態を示す浄水器用接続具及び浄水器の破断平面図。
【図１１】  浄水器用接続具に浄水器を接続した状態を示す側面図。
【図１２】  第６の実施形態を示す側面図
【図１３】  同じく浄水器の接続状態を示す側面図。
【図１４】  同じく平面図。
【図１５】  第７の実施形態を示す側面図。
【図１６】  別の実施形態を示す一部断面図。
【符号の説明】
１１…浄水器用接続具、１２…支持ブロック、１３…入口側接続部としての入口側ソケット、１４…出口側接続部としての出口側ソケット、１７…取付板、２３…導入パイプ、２４…導出パイプ、２５…浄水器、２６…容器、２７…容器本体、２８…蓋体、３５…濾材としてのフィルタ、４１…入口プラグ、４２…出口プラグ、４３…係止溝、４４…支持突起、４５…支持部としての支持溝、４６…係止機構、４７…保持部材としてのスリーブ、５１…係止部材としての係止ピン、５２…傾斜溝、５３…バネ、５７…ロック部材、５８…係合溝、６８…濾材としてのフィルタ、７１…濾材としての第１フィルタ、７２…濾材としての第２フィルタ、７３…取外し補助手段を構成する操作部材としての操作レバー、７３…接続補助手段を構成する操作レバー、７７…接続補助手段を構成する引寄せレバー。
【図１】
0004081192.tif 000002
【図２】
0004081192.tif 000003
【図３】
0004081192.tif 000004
【図４】
0004081192.tif 000005
【図５】
0004081192.tif 000006
【図６】
0004081192.tif 000007
【図７】
0004081192.tif 000008
【図８】
0004081192.tif 000009
【図９】
0004081192.tif 000010
【図１０】
0004081192.tif 000011
【図１１】
0004081192.tif 000012
【図１２】
0004081192.tif 000013
【図１３】
0004081192.tif 000014
【図１４】
0004081192.tif 000015
【図１５】
0004081192.tif 000016
【図１６】
0004081192.tif 000017